(57)【要約】【課題】ある設定距離に何らかの存在を確認すると検知ＯＮ状態になる測距式センサを有しているため、設定距離を便座装置の便座先端から、長く設けることができず、またトイレ室内への入り口から、便座装置までの距離が長くあったとしても、人体が便座装置のすぐ手前に立たない限り人体を検知しないことになり、部屋暖房機能等の付加機能を最適なタイミングで動作させることが困難であるということ。【解決手段】センサユニット８と、前記センサユニット８の検知信号を受信する便座装置１０とを備え、センサユニット８を、トイレ室内の入り口近傍に配置することにより、トイレ室内の大きさにかかわらず、人体がトイレ室内に入った時点で、部屋暖房機能１１等の付加機能を最適なタイミングで動作させることができるため、使い勝手のよいトイレ装置となる。【選択図】図１
2005143627.tif 000002
【特許請求の範囲】
【請求項１】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置に付属する部屋暖房手段と、前記センサユニットから受信した検知信号により、前記部屋暖房手段の温度設定を制御する制御手段とを備えたトイレ装置。
【請求項２】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、便蓋と、前記便蓋の開閉状態を検出する便蓋検出手段と、便座と、前記便座内部に配置した便座暖房手段と、前記センサユニットから受信した検知信号及び前記便蓋の開閉状態により、前記便座暖房手段の通電を制御する制御手段とを備えたトイレ装置。
【請求項３】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、便蓋と、前記便蓋を開閉する便蓋開閉手段と、便座と、前記便座内部に配置した便座暖房手段と、前記センサユニットから受信した検知信号により、トイレ入室時に前記便蓋を開状態とし、トイレ退室時に前記便蓋を閉状態となるよう、前記便蓋開閉手段を制御し、また前記便座暖房手段の通電を制御する制御手段とを備えたトイレ装置。
【請求項４】
トイレ室内において、人体の有無を検知する検知手段と、手動操作を行うスイッチと、前記検知手段に基づいた検知信号及び手動操作信号を送信する送信手段と、前記検知手段及び前記スイッチ及び前記送信手段を内蔵し、トイレ室内の入り口近傍に配置されたセンサユニットと、前記センサユニットが送信した検知信号及び手動操作信号を受信する受信手段と、前記受信手段を内蔵した便座装置と、便蓋と、前記便蓋を開閉する便蓋開閉手段と、便座と、前記便座を開閉する便座開閉手段と、前記センサユニットから受信した検知信号及び手動操作信号により、前記便蓋開閉手段及び前記便座開閉手段を制御する制御手段とを備えたトイレ装置。
【請求項５】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置に付属する装置周辺に対する照明手段と、前記センサユニットから受信した検知信号により、前記照明手段をＯＮし、一定時間後にＯＦＦする制御を行う制御手段とを備えたトイレ装置。
【請求項６】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置に付属する装置周辺に対する照明手段と、前記センサユニットから受信した検知信号により、前記照明手段をトイレ入室時にＯＮし、トイレ退室時にＯＦＦする制御を行う制御手段とを備えたトイレ装置。
【請求項７】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置に付属する脱臭手段と、前記センサユニットから受信した検知信号により、前記脱臭手段のＯＮ／ＯＦＦを制御する制御手段とを備えたトイレ装置。
【請求項８】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置に付属する脱臭手段と、前記センサユニットから受信した検知信号により、前記脱臭手段の吸入風量を制御する制御手段とを備えたトイレ装置。
【請求項９】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、前記便座装置に付属する冷房手段と、前記センサユニットから受信した検知信号により、前記冷房手段の温度設定を制御する制御手段とを備えたトイレ装置。
【請求項１０】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、局部を洗浄するノズルと、前記ノズルに給水する給水手段と、前記給水手段内の水を温める温水ヒーターと、前記センサユニットから受信した検知信号により、前記給水手段及び前記温水ヒーターのＯＮ／ＯＦＦを制御する制御手段とを備えたトイレ装置。
【請求項１１】
トイレ室内において、人体の有無を検知する検知手段と、前記検知手段に基づいた検知信号を送信する送信手段と、前記検知手段及び前記送信手段を内蔵し、トイレ室内の入り口近傍に配置されたセンサユニットと、前記センサユニットが送信した検知信号を受信する受信手段と、前記受信手段を内蔵した便座装置と、局部を洗浄するノズルと、前記ノズルを洗浄するノズル洗浄手段と、前記ノズル及び前記ノズル洗浄手段に給水する給水手段と、前記給水手段内の水を温める温水ヒーターと、前記センサユニットから受信した検知信号により、前記ノズル洗浄手段及び前記給水手段及び前記温水ヒーターのＯＮ／ＯＦＦを制御する制御手段とを備えたトイレ装置。
【発明の詳細な説明】
【技術分野】
【０００１】
本発明はトイレ装置に関するものである。
【背景技術】
【０００２】
従来、この種のトイレ装置は便座装置に人体検知センサを有し、人体を検知することで便座装置の便蓋を開いたりしている（例えば、特許文献１参照）。
図１２は前記広報に記載された従来のトイレ装置を示すものである。図１２に示すように、本体１と、センサ２と、便蓋３と、便座４と、検知エリア５から構成されている。
【特許文献１】特開２００１−１９０４５０号公報
【発明の開示】
【発明が解決しようとする課題】
【０００３】
しかしながら、前記従来の構成では、人体検知センサに、ある範囲に何らかの反射物があるとき検知ＯＮ状態になる測距式センサを用いており、検知距離が長いとトイレ室の壁により、常に検知ＯＮ状態になってしまうため、検知範囲は最も狭いトイレ室を前提に設定しなければならないという課題を有していた。
【０００４】
またトイレ室内への入り口から、便座装置までの距離が長くあったとしても、人体が便座装置のすぐ手前に立たない限り人体を検知しないことになり、部屋暖房機能等の付加機能を最適なタイミングで動作させることが困難であるという課題を有していた。
本発明は前記従来の課題を解決するもので、トイレ室内の大きさにかかわらず、違和感を与えずに、最適のタイミングで部屋暖房機能等の付加機能を動作させる、使い勝手のよいトイレ装置を提供することを目的とする。
【課題を解決するための手段】
【０００５】
前記従来の課題を解決するために、本発明のトイレ装置は、自動で人体の有無を検知するセンサユニットを、便座装置本体とは別にトイレ室内に配置したものである。
トイレ室内の入り口付近にセンサユニットを配置し、かつワイヤレス通信手段で便座装置本体に送信することにより、トイレ室内の大きさにかかわらず、トイレ室内に入った時点で人体を検知できるため、違和感を与えずに部屋暖房機能等の付加機能を動作させることが可能となる。
【発明の効果】
【０００６】
本発明のトイレ装置は、自動で人体の有無を検知するセンサユニットを、便座装置本体とは別にトイレ室内の入り口近傍に配置することにより、トイレ室内の大きさにかかわらず、トイレ室内に入った時点で人体を検知し、違和感を与えずに部屋暖房機能等の付加機能を動作させることで、使い勝手をよくすることができる。
【発明を実施するための最良の形態】
【０００７】
第１の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、前記便座装置に付属する部屋暖房手段と、前記センサユニットから受信した検知信号により、前記部屋暖房手段の温度設定を制御する制御手段とを備えた構成とすることにより、トイレ室内の大きさにかかわらず、トイレ室内に入った時点で人体を検知できるため、違和感を与えずに前記部屋暖房手段の温度設定の切り替えを行い、温度設定をアップすることが可能となり、使い勝手のよいトワレ装置とすることができる。
【０００８】
第２の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、便蓋と、前記便蓋の開閉状態を検出する便蓋検出手段と、便座と、前記便座内部に配置した便座暖房手段と、前記センサユニットから受信した検知信号及び前記便蓋の開閉状態により、前記便座暖房手段の通電を制御する制御手段とを備えた構成とすることにより、トイレ室内の大きさにかかわらず、トイレ室内に入った時点で人体を検知できるため、違和感を与えずに前記便座暖房手段の通電をＯＮすることがことが可能となり、使い勝手のよいトワレ装置とすることができる。また前記便蓋を閉状態にしておくことで、例えば清掃時等の通電が不要な時に、意識的に前記便座暖房手段の通電をＯＦＦのままにすることがことが可能となり、使い勝手のよいトワレ装置とすることができる。
【０００９】
第３の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、便蓋と、前記便蓋を開閉する便蓋開閉手段と、便座と、前記便座内部に配置した便座暖房手段と、前記センサユニットから受信した検知信号により、トイレ入室時に前記便蓋を開状態とし、トイレ退室時に前記便蓋を閉状態となるよう、前記便蓋開閉手段を制御し、また前記便座暖房手段の通電を制御する制御手段とを備えた構成とすることにより、トイレ室内の大きさにかかわらず、トイレ室内に入った時点で人体を検知できるため、違和感を与えずに前記便蓋を開状態とし、前記便座暖房手段の通電をＯＮすることがことが可能となり、使い勝手のよいトワレ装置とすることができる。また逆にトイレ室内から去った時点で人体がいなくなったことを検知できるため、違和感を与えずに前記便蓋を閉状態とし、前記便座暖房手段の通電をＯＦＦすることが可能となり、使い勝手のよいトワレ装置とすることができる。
また前記便蓋を閉状態とすることで、前記便座の保温も兼ねることが可能となり、使い勝手のよいトワレ装置とすることができる。
【００１０】
第４の発明は、トイレ室内において、人体の有無を検知する検知手段と、手動操作を行うスイッチと、前記検知手段に基づいた検知信号及び手動操作信号を送信する送信手段と、前記検知手段及び前記スイッチ及び前記送信手段を内蔵し、トイレ室内の入り口近傍に配置したセンサユニットと、前記センサユニットが送信した検知信号及び手動操作信号を受信する受信手段と、前記受信手段を内蔵した便座装置と、便蓋と、前記便蓋を開閉する便蓋開閉手段と、便座と、前記便座を開閉する便座開閉手段と、前記センサユニットから受信した検知信号及び手動操作信号により、前記便蓋開閉手段及び前記便座開閉手段を制御する制御手段とを備えた構成とすることにより、トイレ室内の大きさにかかわらず、トイレ室内に入った時点で人体を検知できるため、違和感を与えずに前記便蓋を開状態とすることがことが可能となり、使い勝手のよいトワレ装置とすることができる。また男子の小用である場合には、前記スイッチを操作することで前記便座を開状態にすることがことが可能となり、使い勝手のよいトワレ装置とすることができる。
【００１１】
第５の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、前記便座装置に付属する装置周辺に対する照明手段と、前記センサユニットから受信した検知信号により、前記照明手段をＯＮし、一定時間後にＯＦＦする制御を行う制御手段とを備えた構成とすることにより、トイレ室内の大きさにかかわらず、トイレ室内に入った時点で人体を検知できるため、違和感を与えずに装置周辺に対する前記照明手段をＯＮすることがことが可能となり、使い勝手のよいトワレ装置とすることができる。
【００１２】
第６の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、前記便座装置に付属する装置周辺に対する照明手段と、前記センサユニットから受信した検知信号により、前記照明手段をトイレ入室時にＯＮし、トイレ退室時にＯＦＦする制御を行う制御手段とを備えた構成とすることにより、トイレ室内の大きさにかかわらず、トイレ室内に入った時点で人体を検知できるため、違和感なく装置周辺に対する前記照明手段をＯＮすることがことが可能となり、使い勝手のよいトワレ装置とすることができる。また逆にトイレ室内から去った時点で人体がいなくなったことを検知できるため、違和感を与えずに前記照明手段をＯＦＦすることがことが可能となり、使い勝手のよいトワレ装置とすることができる。
【００１３】
第７の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、前記便座装置に付属する脱臭手段と、前記センサユニットから受信した検知信号により、前記脱臭手段のＯＮ／ＯＦＦを制御する制御手段とを備えた構成とすることにより、トイレ室内の大きさにかかわらず、トイレ室内に入った時点で人体を検知できるため、違和感を与えずに前記脱臭手段をＯＮすることがことが可能となり、使い勝手のよいトワレ装置とすることができる。
【００１４】
第８の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、前記便座装置に付属する脱臭手段と、前記センサユニットから受信した検知信号により、前記脱臭手段の吸入風量を制御する制御手段とを備えた構成とすることにより、トイレ室内の大きさにかかわらず、トイレ室内に入った時点で人体を検知できるため、違和感を与えずに前記脱臭手段の吸入風量の切り替えを行い、風量をアップすることがことが可能となり、使い勝手のよいトワレ装置とすることができる。
【００１５】
第９の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、前記便座装置に付属する冷房手段と、前記センサユニットから受信した検知信号により、前記冷房手段の温度設定を制御する制御手段とを備えた構成とすることにより、トイレ室内の大きさにかかわらず、トイレ室内に入った時点で人体を検知できるため、違和感を与えずに前記冷房手段の温度設定の切り替えを行い、温度設定をダウンすることが可能となり、使い勝手のよいトワレ装置とすることができる。
【００１６】
第１０の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、局部を洗浄するノズルと、前記ノズルに給水する給水手段と、前記給水手段内の水を温める温水ヒーターと、前記センサユニットから受信した検知信号により、前記給水手段及び前記温水ヒーターのＯＮ／ＯＦＦを制御する制御手段とを備えた構成とすることにより、トイレ室内の大きさにかかわらず、トイレ室内に入った時点で人体を検知できるため、人体を検知した後、すぐに前記給水手段及び前記温水ヒーターをＯＮし、前記ノズル内の水を温水に置き換えておくことで、いつでも温水によって局部の洗浄可能な状態で待機し、違和感を与えずに前記ノズルの突出時間を短くすることが可能となり、使い勝手のよいトワレ装置とすることができる。
【００１７】
第１１の発明は、トイレ室内において、人体の有無を検知する検知手段と、前記検知手段に基づいた検知信号を送信する送信手段と、前記検知手段及び前記送信手段を内蔵し、トイレ室内の入り口近傍に配置したセンサユニットと、前記センサユニットが送信した検知信号を受信する受信手段と、前記受信手段を内蔵した便座装置と、局部を洗浄するノズルと、前記ノズルを洗浄するノズル洗浄手段と、前記ノズル及び前記ノズル洗浄手段に給水する給水手段と、前記給水手段内の水を温める温水ヒーターと、前記センサユニットから受信した検知信号により、前記ノズル洗浄手段及び前記給水手段及び前記温水ヒーターのＯＮ／ＯＦＦを制御する制御手段とを備えた構成とすることにより、トイレ室内の大きさにかかわらず、トイレ室内に入った時点で人体を検知できるため、人体を検知した後、すぐに前記ノズル洗浄手段及び前記給水手段及び前記温水ヒーターをＯＮし、前記ノズルの外部を洗浄することで、違和感を与えずに前記ノズルを清潔な状態にして待機することが可能となり、使い勝手のよいトワレ装置とすることができる。
【００１８】
以下本発明の実施の形態について、図面を参照しながら説明する。なお、本実施の形態によって本発明が限定されるものではない。
【００１９】
（実施の形態１）
図１は本発明の第１の実施の形態におけるトイレ装置のブロック図である。
【００２０】
図１において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１１は便座装置１０に付属する部屋暖房手段、１２はセンサユニット８から受信した検知信号により、部屋暖房手段１１の温度設定を制御する制御手段である。
【００２１】
以上のように構成されたトイレ装置について以下その動作、作用を説明する。
【００２２】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１２に情報を伝達する。
【００２３】
そして制御手段１２は、便座装置１０に付属する部屋暖房手段１１の温度設定の切り替えの制御をすることで、人体がトイレ室内に入ったタイミングにあわせて温度設定をアップすることができる。
【００２４】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便座装置１０に付属する部屋暖房手段１１と、センサユニット８から受信した検知信号により、部屋暖房手段１１の温度設定を制御する制御手段１２とを備えた構成とすることにより、トイレ室内の大きさにかかわらず、トイレ室内に入った時点で人体を検知できるため、違和感を与えずに部屋暖房手段１１の温度設定の切り替えを行い、温度設定をアップすることが可能となり、使い勝手のよいトワレ装置とすることができる。
【００２５】
（実施の形態２）
図２は本発明の第２の実施の形態におけるトイレ装置のブロック図である。
【００２６】
図２において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１３は便蓋、１４は便蓋１３の開閉状態を検出する便蓋検出手段、１５は便座、１６は便座１５内部に配置した便座暖房手段、１７はセンサユニット８から受信した検知信号により、便座暖房手段１６の温度設定を制御する制御手段である。
【００２７】
以上のように構成されたトイレ装置について以下その動作、作用を説明する。
【００２８】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１７に情報を伝達する。
【００２９】
そして制御手段１７は、便座１５内部に配置した便座暖房手段１６の通電の制御をすることで、人体がトイレ室内に入ったタイミングにあわせて便座暖房手段１６の通電をＯＮすることができる。
【００３０】
また便蓋１３を閉じた状態では、便蓋検出手段１４は便蓋１３が閉状態であることを検出し、制御手段１７に情報を伝達する。この状態では制御手段１７は、人体がトイレ室内に入ったと判断しても便座暖房手段１６の通電をＯＮせず、意識的にＯＦＦ状態のままとすることができる。
【００３１】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便蓋１３と、便蓋１３の開閉状態を検出する便蓋検出手段１４と、便座１５と、便座１５内部に配置した便座暖房手段１６と、センサユニット８から受信した検知信号及び便蓋１３の開閉状態により、便座暖房手段１６の通電を制御する制御手段１７とを備えた構成とすることにより、トイレ室内の大きさにかかわらず、トイレ室内に入った時点で人体を検知できるため、違和感を与えずに便座暖房手段１６の通電をＯＮすることが可能となり、使い勝手のよいトワレ装置とすることができる。
【００３２】
また便蓋１３を閉状態にしておくことで、例えば清掃時等の通電が不要なときに意識的に便座暖房手段１６の通電をＯＦＦのままにすることが可能となり、使い勝手のよいトワレ装置とすることができる。
【００３３】
（実施の形態３）
図３は本発明の第３の実施の形態におけるトイレ装置のブロック図である。
【００３４】
図３において、６はトイレ室内において人体の有無を検知する検知手段、７は検知手段６に基づいた検知信号を送信する送信手段、８は検知手段６及び送信手段７を内蔵し、トイレ室内の入り口近傍に配置されたセンサユニット、９はセンサユニット８が送信した検知信号を受信する受信手段、１０は受信手段９を内蔵する便座装置、１３は便蓋、１８は便蓋１３を開閉する便蓋開閉手段、１５は便座、１６は便座１５内部に配置した便座暖房手段、１９はセンサユニット８から受信した検知信号により、トイレ入室時に便蓋１３を開状態とし、トイレ退室時に便蓋１３を閉状態となるよう、便蓋開閉手段を制御する制御手段である。
【００３５】
以上のように構成されたトイレ装置について以下その動作、作用を説明する。
【００３６】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段１９に情報を伝達する。
【００３７】
そして制御手段１９は、便蓋開閉手段１８と、便座１５内部に配置した便座暖房手段１６の通電の制御をすることで、人体がトイレ室内に入ったタイミングにあわせて便蓋１３を開状態とし、便座暖房手段１６の通電をＯＮすることができる。また逆に人体がトイレ室内から去った場合には、検知手段６は人体を検知しなくなり、その情報に基づいて送信手段７が検知信号を送信する。次に便座装置１０に内蔵された受信手段９が送信手段７から送信された検知信号を受信し、制御手段１９に情報を伝達する。
【００３８】
そして制御手段１９は、便蓋開閉手段１８と、便座１５内部に配置した便座暖房手段１６の通電の制御をすることで、人体がトイレ室内から去ったタイミングにあわせて便蓋１３を閉状態とし、便座暖房手段１６の通電をＯＦＦすることができる。
【００３９】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段を内蔵した便座装置１０と、便蓋１３と、便蓋１３を開閉する便蓋開閉手段１８と、便座１５と、便座１５内部に配置した便座暖房手段１６と、センサユニット８から受信した検知信号により、トイレ入室時に１３便蓋を開状態とし、トイレ退室時に便蓋１３を閉状態となるよう、便蓋開閉手段１８を制御し、また便座暖房手段１６の通電を制御する制御手段１９とを備えた構成とすることにより、トイレ室内の大きさにかかわらず、トイレ室内に入った時点で人体を検知できるため、違和感を与えずに便蓋１３を開状態とし、便座暖房手段１６の通電をＯＮすることがことが可能となり、使い勝手のよいトワレ装置とすることができる。また逆にトイレ室内から去った時点で人体がいなくなったことを検知できるため、違和感を与えずに便蓋１３を閉状態とし、前記便座暖房手段の通電をＯＦＦすることが可能となり、使い勝手のよいトワレ装置とすることができる。
【００４０】
また便蓋１３を閉状態とすることで、便座１５の保温も兼ねることが可能となり、使い勝手のよいトワレ装置とすることができる。
【００４１】
（実施の形態４）
図４は本発明の第４の実施の形態におけるトイレ装置のブロック図である。
【００４２】
図４において、６はトイレ室内において人体の有無を検知する検知手段、２０は手動操作を行うスイッチ、２１は検知手段６に基づいた検知信号及び手動操作信号を送信する送信手段、２２は検知手段６及びスイッチ２０及び送信手段２１を内蔵し、トイレ室内の入り口近傍に配置されたセンサユニット、２３はセンサユニット２２が送信した検知信号を受信する受信手段、２４は受信手段２３を内蔵する便座装置、１３は便蓋、１８は便蓋１３を開閉する便蓋開閉手段、１５は便座、２５は便座１５を開閉する便座開閉手段、２６はセンサユニット２２から受信した検知信号及び手動操作信号により、便蓋開閉手段１８及び便座開閉手段２５を制御する制御手段である。
【００４３】
以上のように構成されたトイレ装置について以下その動作、作用を説明する。
【００４４】
まず、トイレ室内の入り口近傍に配置されたセンサユニット２２に内蔵された検知手段６が、人体がトイレ室内に入った時点で、人体がトイレ室内に存在することを検知し、その情報に基づいて送信手段２１が検知信号を送信する。次に便座装置１０に内蔵された受信手段２３が送信手段２１から送信された検知信号を受信し、制御手段２６に情報を伝達する。
【００４５】
そして制御手段２６は、便蓋開閉手段１８の制御をすることで、人体がトイレ室内に入ったタイミングにあわせて便蓋１３を開状態とすることができる。
【００４６】
更にスイッチ２０が操作された場合には、その情報に基づいて送信手段２１が手動操作信号を送信する。次に便座装置２４に内蔵された受信手段２３が送信手段２１から送信された手動操作信号を受信し、制御手段２６に情報を伝達する。
そして制御手段２６は、便座開閉手段２５の制御をすることで、手動操作を行ったタイミングにあわせて便座１５を開状態とすることができる。
【００４７】
以上のように、本実施の形態においては、トイレ室内において、人体の有無を検知する検知手段６と、手動操作を行うスイッチ２０と、検知手段６に基づいた検知信号及び手動操作信号を送信する送信手段２１と、検知手段６及びスイッチ２０及び送信手段２１を内蔵し、トイレ室内の入り口近傍に配置したセンサユニット２２と、センサユニットが送信した検知信号及び手動操作信号を受信する受信手段２３と、受信手段２３を内蔵した便座装置２４と、便蓋１３と、便蓋１３を開閉する便蓋開閉手段１８と、便座１５と、便座１５を開閉する便座開閉手段２５と、センサユニット２２から受信した検知信号及び手動操作信号により、便蓋開閉手段１８及び前記便座開閉手段２５を制御する制御手段２６とを備えた構成とすることにより、トイレ室内の大きさにかかわらず、トイレ室内に入った時点で人体を検知できるため、違和感を与えずに便蓋１３を開状態とすることが可能となり、使い勝手のよいトワレ装置とすることができる。
【００４８】
また男子の小用である場合には、スイッチ２０を操作することで便座１５を開状態にすることが可能となり、使い勝手のよいトワレ装置とすることができる。
【００４９】
（実施の形態５）
図５は本発明の第５の実施の形態におけるトイレ装置のブロック図である。
【００５０】
図５において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、２７は便座装置１０に付属する装置周辺に対する照明手段、２８はセンサユニット８から受信した検知信号により、照明手段２７をＯＮし、一定時間後にＯＦＦする制御を行う制御手段である。
【００５１】
以上のように構成されたトイレ装置について以下その動作、作用を説明する。
【００５２】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段２８に情報を伝達する。そして制御手段２８は、便座装置１０に付属する照明手段２７の制御をすることで、人体がトイレ室内に入ったタイミングにあわせて照明手段２７をＯＮすることができる。
【００５３】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便座装置１０に付属する装置周辺に対する照明手段２７と、センサユニット８から受信した検知信号により、照明手段２７をＯＮし、一定時間後にＯＦＦする制御を行う制御手段２８とを備えた構成とすることにより、トイレ室内の大きさにかかわらず、トイレ室内に入った時点で人体を検知できるため、違和感を与えずに装置周辺に対する照明手段２７をＯＮすることが可能となり、使い勝手のよいトワレ装置とすることができる。
【００５４】
（実施の形態６）
図６は本発明の第６の実施の形態におけるトイレ装置のブロック図である。
【００５５】
図６において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、２７は便座装置１０に付属する装置周辺に対する照明手段、２９はセンサユニット８から受信した検知信号により、照明手段２７をトイレ入室時にＯＮし、トイレ退室時にＯＦＦする制御を行う制御手段である。
【００５６】
以上のように構成されたトイレ装置について以下その動作、作用を説明する。
【００５７】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段２９に情報を伝達する。そして制御手段２９は、便座装置１０に付属する照明手段２７の制御をすることで、人体がトイレ室内に入ったタイミングにあわせて照明手段２７をＯＮすることができる。また逆に人体がトイレ室内から去った場合には、検知手段６は人体を検知しなくなり、その情報に基づいて送信手段７が検知信号を送信する。次に便座装置１０に内蔵された受信手段９が送信手段７から送信された検知信号を受信し、制御手段１９に情報を伝達する。
【００５８】
そして制御手段２９は、便座装置１０に付属する照明手段２７の制御をすることで、人体がトイレ室内から去ったタイミングにあわせて照明手段２７をＯＦＦすることができる。
【００５９】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便座装置１０に付属する装置周辺に対する照明手段２７と、センサユニット８から受信した検知信号により、照明手段２７をトイレ入室時にＯＮし、トイレ退室時にＯＦＦする制御を行う制御手段２９とを備えた構成とすることにより、トイレ室内の大きさにかかわらず、トイレ室内に入った時点で人体を検知できるため、違和感なく装置周辺に対する照明手段２７をＯＮすることが可能となり、使い勝手のよいトワレ装置とすることができる。
【００６０】
また逆にトイレ室内から去った時点で人体がいなくなったことを検知できるため、違和感を与えずに照明手段２７をＯＦＦすることが可能となり、使い勝手のよいトワレ装置とすることができる。
【００６１】
（実施の形態７）
図７は本発明の第７の実施の形態におけるトイレ装置のブロック図である。
【００６２】
図７において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、３０は便座装置１０に付属する脱臭手段、３１はセンサユニット８から受信した検知信号により、脱臭手段３０のＯＮ／ＯＦＦを制御する制御手段である。
【００６３】
以上のように構成されたトイレ装置について以下その動作、作用を説明する。
【００６４】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段３１に情報を伝達する。そして制御手段３１は、便座装置１０に付属する脱臭手段３０の制御をすることで、人体がトイレ室内に入ったタイミングにあわせて脱臭手段３０をＯＮすることができる。
【００６５】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便座装置１０に付属する脱臭手段３０と、センサユニット８から受信した検知信号により、脱臭手段３０のＯＮ／ＯＦＦを制御する制御手段３１とを備えた構成とすることにより、トイレ室内の大きさにかかわらず、トイレ室内に入った時点で人体を検知できるため、違和感を与えずに脱臭手段３０をＯＮすることが可能となり、使い勝手のよいトワレ装置とすることができる。
【００６６】
（実施の形態８）
図８は本発明の第８の実施の形態におけるトイレ装置のブロック図である。
【００６７】
図８において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、３０は便座装置１０に付属する脱臭手段、３２はセンサユニット８から受信した検知信号により、脱臭手段３０の吸入風量を制御する制御手段である。
【００６８】
以上のように構成されたトイレ装置について以下その動作、作用を説明する。
【００６９】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段３２に情報を伝達する。
【００７０】
そして制御手段３２は、便座装置１０に付属する脱臭手段３０の吸入風量の制御をすることで、人体がトイレ室内に入ったタイミングにあわせて吸入風量をアップすることができる。
【００７１】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便座装置１０に付属する脱臭手段３０と、センサユニット８から受信した検知信号により、脱臭手段３０の吸入風量を制御する制御手段３２とを備えた構成とすることにより、トイレ室内の大きさにかかわらず、トイレ室内に入った時点で人体を検知できるため、違和感を与えずに脱臭手段３０の吸入風量の切り替えを行うことが可能となり、使い勝手のよいトワレ装置とすることができる。
【００７２】
（実施の形態９）
図９は本発明の第９の実施の形態におけるトイレ装置のブロック図である。
【００７３】
図９において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、３３は便座装置１０に付属する冷房手段、３４はセンサユニット８から受信した検知信号により、冷房手段３３の温度設定を制御する制御手段である。
【００７４】
以上のように構成されたトイレ装置について以下その動作、作用を説明する。
【００７５】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段３４に情報を伝達する。
【００７６】
そして制御手段３４は、便座装置１０に付属する冷房手段３３の温度設定の切り替えの制御をすることで、人体がトイレ室内に入ったタイミングにあわせて温度設定をダウンすることができる。
【００７７】
以上のように、本実施の形態においては、トイレ室内において、人体の有無を検知する検知手段と６、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、便座装置１０に付属する冷房手段３３と、センサユニット８から受信した検知信号により、冷房手段３３の温度設定を制御する制御手段３４とを備えた構成とすることにより、トイレ室内の大きさにかかわらず、トイレ室内に入った時点で人体を検知できるため、違和感を与えずに冷房手段３３の温度設定の切り替えを行い、温度設定をダウンすることが可能となり、使い勝手のよいトワレ装置とすることができる。
【００７８】
（実施の形態１０）
図１０は本発明の第１０の実施の形態におけるトイレ装置のブロック図である。
【００７９】
図１０において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、３５は局部を洗浄するノズル、３６はノズル３５に給水する給水手段、３７は給水手段３６内の水を温める温水ヒーター、３８はセンサユニット８から受信した検知信号により、給水手段３６及び温水ヒーター３７のＯＮ／ＯＦＦを制御する制御手段である。
【００８０】
以上のように構成されたトイレ装置について以下その動作、作用を説明する。
【００８１】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段３８に情報を伝達する。
【００８２】
そして制御手段３８は、温水ヒーター３７をＯＮし、給水手段３６内部の水を温め始めるとともに、給水手段３６をＯＮすることで、ノズル３５が突出しない強さで給水を開始し、ノズル３５内の水を温水に置き換えておくことで、人体がトイレ室内に入ったタイミングにあわせて、いつでも温水によって局部の洗浄可能な状態で待機し、ノズル３５の突出時間を短くすることができる。
【００８３】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、局部を洗浄するノズル３５と、ノズル３５に給水する給水手段３６と、給水手段３６内の水を温める温水ヒーター３７と、センサユニット８から受信した検知信号により、給水手段３６及び温水ヒーター３７のＯＮ／ＯＦＦを制御する制御手段３８とを備えた構成とすることにより、トイレ室内の大きさにかかわらず、トイレ室内に入った時点で人体を検知できるため、人体を検知した後、すぐに給水手段３６及び温水ヒーター３７をＯＮし、ノズル３５内の水を温水に置き換えておくことで、いつでも温水によって局部の洗浄可能な状態で待機し、違和感を与えずにノズル３５の突出時間を短くすることが可能となり、使い勝手のよいトワレ装置とすることができる。
【００８４】
（実施の形態１１）
図１１は本発明の第１１の実施の形態におけるトイレ装置のブロック図である。
【００８５】
図１１において、６はトイレ室内において人体の有無を検知する検知手段、７は検知手段６に基づいた検知信号を送信する送信手段、８は検知手段６及び検知手段７を内蔵し、トイレ室内の入り口近傍に配置されたセンサユニット、９はセンサユニット８が送信した検知信号を受信する受信手段、１０は受信手段９を内蔵する便座装置、３５は局部を洗浄するノズル、３９はノズル３５を洗浄するノズル洗浄手段、４０はノズル３５及びノズル洗浄手段３９に給水する給水手段、３７は給水手段３６内の水を温める温水ヒーター、４１はセンサユニット８から受信した検知信号により、ノズル洗浄手段３９及び給水手段４０及び温水ヒーター３７のＯＮ／ＯＦＦを制御する制御手段である。
【００８６】
以上のように構成されたトイレ装置について以下その動作、作用を説明する。
【００８７】
まず、トイレ室内の入り口近傍に配置されたセンサユニット８に内蔵された検知手段６が、人体がトイレ室内に入った時点で、人体がトイレ室内に存在することを検知し、その情報に基づいて送信手段７が検知信号を送信する。次に便座装置１０に内蔵された受信手段９が送信手段７から送信された検知信号を受信し、制御手段４０に情報を伝達する。
【００８８】
そして制御手段４１は、温水ヒーター３７をＯＮし、給水手段４０内部の水を温め始めるとともに、給水手段４０をＯＮすることで、ノズル洗浄手段３９に給水を開始し、ノズル３５外部を温水で洗浄することで、人体がトイレ室内に入ったタイミングにあわせて、ノズル３５を清潔な状態にして待機することができる。
【００８９】
以上のように、本実施の形態においては、トイレ室内において、人体の有無を検知する検知手段６と、検知手段６に基づいた検知信号を送信する送信手段７と、検知手段６及び送信手段７を内蔵し、トイレ室内の入り口近傍に配置したセンサユニット８と、センサユニット８が送信した検知信号を受信する受信手段９と、受信手段９を内蔵した便座装置１０と、局部を洗浄するノズル３５と、ノズル３５に給水する給水手段３６と、給水手段３６内の水を温める温水ヒーター３７と、ノズル３５を洗浄するノズル洗浄手段３９と、センサユニット８から受信した検知信号により、給水手段３６及び温水ヒーター３７及びノズル洗浄手段３９のＯＮ／ＯＦＦを制御する制御手段４０とを備えた構成とすることにより、トイレ室内の大きさにかかわらず、トイレ室内に入った時点で人体を検知できるため、人体を検知した後、すぐにノズル洗浄手段３９及び給水手段４０及び温水ヒーター３７をＯＮし、ノズル３５の外部を洗浄することで、違和感を与えずにノズル３５を清潔な状態にして待機することが可能となり、使い勝手のよいトワレ装置とすることができる。
【産業上の利用可能性】
【００９０】
以上のように、本発明にかかるトイレ装置は、自動で人体の有無を検知するセンサユニットを、便座装置本体とは別にトイレ室内の入り口近傍に配置することにより、トイレ室内の大きさにかかわらず、トイレ室内に入った時点で人体を検知し、違和感を与えずに部屋暖房機能等の付加機能を動作させることが可能となるので、人体検知機能を備えた機器の付加機能の制御等の用途にも適用できる。
【図面の簡単な説明】
【００９１】
【図１】本発明の実施の形態１のトイレ装置のブロック図
【図２】本発明の実施の形態２のトイレ装置のブロック図
【図３】本発明の実施の形態３のトイレ装置のブロック図
【図４】本発明の実施の形態４のトイレ装置のブロック図
【図５】本発明の実施の形態５のトイレ装置のブロック図
【図６】本発明の実施の形態６のトイレ装置のブロック図
【図７】本発明の実施の形態７のトイレ装置のブロック図
【図８】本発明の実施の形態８のトイレ装置のブロック図
【図９】本発明の実施の形態９のトイレ装置のブロック図
【図１０】本発明の実施の形態１０のトイレ装置のブロック図
【図１１】本発明の実施の形態１１のトイレ装置のブロック図
【図１２】従来のトイレ装置を示す斜視図
【符号の説明】
【００９２】
６  検知手段
７  送信手段
８  センサユニット
９  受信手段
１０  便座装置
１１  部屋暖房手段
１２  制御手段
１３  便蓋
１４  便蓋検出手段
１５  便座
１６  便座暖房手段
１７  制御手段
１８  便蓋開閉手段
１９  制御手段
２０  スイッチ
２１  送信手段
２２  センサユニット
２３  受信手段
２４  便座装置
２５  便座開閉手段
２６  制御手段
２７  照明手段
２８  制御手段
２９  制御手段
３０  脱臭手段
３１  制御手段
３２  制御手段
３３  冷房手段
３４  制御手段
３５  ノズル
３６  給水手段
３７  温水ヒーター
３８  制御手段
３９  ノズル洗浄手段
４０  給水手段
４１  制御手段
【図１】
2005143627.tif 000003
【図２】
2005143627.tif 000004
【図３】
2005143627.tif 000005
【図４】
2005143627.tif 000006
【図５】
2005143627.tif 000007
【図６】
2005143627.tif 000008
【図７】
2005143627.tif 000009
【図８】
2005143627.tif 000010
【図９】
2005143627.tif 000011
【図１０】
2005143627.tif 000012
【図１１】
2005143627.tif 000013
【図１２】
2005143627.tif 000014